(57)【要約】【課題】屋根型の上部を有する容器を、特別の部材を必要とすることなく、安定に積み重ねられるようにする。また、それ単独で安定に積み重ねることができる積み重ね構造を有する容器を提供する【解決手段】周囲４面から成る胴部と、その上端に位置する屋根型の上部、及び、胴部の下端に位置する下部とを有し、シート材より成るプランクを折り曲げて形成し、要所を糊代により接着して組み立てられる容器であって、１個の容器の屋根型の上部に他の容器を積み重ねたときに、その屋根型の上部が納まるようにするために、胴部の周囲４面の内の平行な２面の下端に折り曲げ片を設け、各折り曲げ片を内側に折り曲げるとともに、折り曲げ片同士を結合し、かつ、結合した折り曲げ片を中央部中央部にて折り曲げ可能にすることにより、胴部の内部に屋根型の上部を受け入れる凹部を形成し、上部と下部を相互に係合可能としたことを特徴とする積み重ね構造を有する容器。【選択図】          図２
2007276865.tif 000002
【特許請求の範囲】
【請求項１】
周囲４面から成る胴部と、その上端に位置する屋根型の上部、及び、胴部の下端に位置する下部とを有し、シート材より成るプランクを折り曲げて形成し、要所を糊代により接着して組み立てられる容器であって、
１個の容器の屋根型の上部に他の容器を積み重ねられるようにするために、胴部の周囲４面の内の平行な２面の下端に、容器の底を構成する底片を夫々設け、各底片を内側に折り曲げるとともに、さらに両底片を中央部にてほぼ屋根型に折り曲げて結合し、胴部の内部に屋根型の上部を受け入れる凹部を形成し、上部と下部を相互に係合可能としたことを特徴とする積み重ね構造を有する容器。
【請求項２】
シート材より成るプランクは、左右に連続して並列した周囲４面から成り、かつ、各面の境界線を折り曲げ線とする胴部と、４面の内の一方の平行な２面の上端に位置し、その上端から三角形状に突出する部分を有し、かつ、その三角形の斜辺を折り曲げ線として連続する連続部分を有する三角部と、４面の内の他方の平行な２面の上端に設けられ、かつ、上記三角部と連続部分で連続し、連続部分との境界線を折り曲げ線とした屋根型の上部を構成する部分とを有して構成されている請求項１記載の積み重ね構造を有する容器。
【請求項３】
その上端から三角形状に突出する部分を有している、４面の内の一方の平行な２面は、三角形状の頂点を通る折り曲げ線により折り曲げ可能とされ、その結果、４面の内の他方の平行な２面が接触するように扁平に折り畳まれる請求項１記載の積み重ね構造を有する容器。
【請求項４】
底片は、４面の内の他方の平行な２面の下端に設けられており、４面の内の一方の平行な２面の下端に設けられている連続片と境界線において折り曲げ可能に連続する構成を有している請求項１記載の積み重ね構造を有する容器。
【請求項５】
底片は、４面の内の他方の平行な２面の下端に設けられており、４面の内の一方の平行な２面の下端に、周囲４面から成る胴部の内側に嵌め込んで胴部の立体形状を規定する底片が設けられている請求項１記載の積み重ね構造を有する容器。
【請求項６】
胴部の上端に位置する屋根型の上部に、４面の内の他方の平行な２面の上端に設けられ、かつ、三角部と連続部分で連続し、連続部分との境界線を折り曲げ線とした屋根型の上部を構成する部分が開閉部分になり、上記三角部との連続部分が開閉部分を開く方向に作用するばね部分になる開閉部分を設け、この開閉部分には、一方に係止部、他方に係止部の相手部を設け、係止部を係止相手部に係止させ、閉じ状態に保持する開閉可能な構成を具備するものとした請求項１記載の積み重ね構造を有する容器。
【発明の詳細な説明】
【技術分野】
【０００１】
本発明は、周囲４面を形成する胴部、その上端に位置する屋根型の上部、及び、胴部の下端に位置する下部を有し、シート材より成るプランクを折り曲げ、かつ、要所を糊代により接着して組み立てられる積み重ね構造を有する容器に関するものである。
【背景技術】
【０００２】
例えば、ピュアパック（登録商標）などと称する紙製の容器は、従来、牛乳をはじめとして、ジュース、清涼飲料その他各種の液体の容器として、広範囲に使用されている。この種の容器は、米国特許第１１５７４６２号に端を発するものとされ、屋根型（紙）容器などとも称されることから分かるように、その上部が屋根型の形状を有しており、このため、上下に段積みするのには適さないという問題がある。
【０００３】
この屋根型容器を安定性良く積み重ねるため、実公昭５７−１８２７８号に公開されている、紙製容器の重ね箱という考案が提案された。しかし、これは上面が山形（屋根型）になった紙製容器の上に乗せて重ねる箱であり、上面が山形になった箱の上に、他の容器を安定良く重ねて置けるようにしたもので、紙製容器の上に１個ずつ乗せたり、外したりしなければならないものである。
【０００４】
上記のものは、実公昭６０−１６５０６号の、紙パック用ふた箱としてプラスチック製のものに改良され、さらには、実用新案登録第３００６８７７号に発展するという経過を辿る。しかし、これらは紙製容器の（屋根又は山形の）頂部に冠合して使用するものであり、冠部に３個の山形突出部を設けたことを特徴とし、段積み時に３個の山形突出部で上位の容器を底部に接して安定に支えることを目的とする。
【０００５】
従って、上記の最終の考案も、紙製容器の上に１個ずつ乗せたり、外したりしなければならない点において、最初期の紙製容器の重ね箱と変わるところはない。すなわち、ふた箱と称する特別の部材がなければ、紙製容器を安定して積み重ねることができないということになる。
【０００６】
【特許文献１】米国特許第１１５７４６２号
【特許文献２】実公昭５７−１８２７８号
【特許文献３】実公昭６０−１６５０６号
【特許文献４】実用新案登録第３００６８７７号
【発明の開示】
【発明が解決しようとする課題】
【０００７】
本発明は以上の点に着目して成されたもので、その課題は、屋根型の上部を有する容器を、特別の部材を必要とすることなく、安定に積み重ねられるようにすることである。また、本発明の他の課題は、それ単独で安定に積み重ねることができる積み重ね構造を有する容器を提供することである。
【課題を解決するための手段】
【０００８】
前記の課題を解決するため本発明は、周囲４面から成る胴部と、その上端に位置する屋根型の上部、及び、胴部の下端に位置する下部とを有し、シート材より成るプランクを折り曲げ、要所を糊代により接着して組み立てられる容器について、１個の容器の屋根型の上部に他の容器を積み重ねられるようにするために、胴部の周囲４面の内の平行な２面の下端に、容器の底を構成する底片を夫々設け、各底片を内側に折り曲げるとともに、さらに両底片を中央部にてほぼ屋根型に折り曲げて結合し、胴部の内部に屋根型の上部を受け入れる凹部を形成し、上部と下部を相互に係合可能にするという手段を講じたものであ
る。
【０００９】
本発明に係る容器は、シート材より成るプランクを折り曲げて形成したもので、シート材には、紙材料、いわゆる合成紙材料、樹脂製シート材料その他あらゆるシート材を使用することができる。プランクは、後述するように様々の形態を取り得るものであるが、どのような形態を取るとしても、周囲４面を形成する胴部と、その上端に位置する屋根型の上部、及び、胴部の下端に位置する下部に該当する部分を必要とする。
【００１０】
例えば、本発明において、プランクは、左右に連続して並列した周囲４面から成り、かつ、各面の境界線を折り曲げ線とする胴部と、４面の内の一方の平行な２面の上端に位置し、その上端から三角形状に突出する部分を有し、かつ、その三角形の斜辺を折り曲げ線として連続する連続部分を有する三角部と、４面の内の他方の平行な２面の上端に設けられ、かつ、上記三角部と連続部分で連続し、連続部分との境界線を折り曲げ線とした屋根型の上部を構成する部分とを有している。このようなプランクから成る容器は、四角柱のような形態になり、その上部が屋根型となり、下部は、後述するように屋根型と係合可能な形態となる。
【００１１】
本発明のプランクにおいては、例えば、その上端から三角形状に突出する部分を有している、４面の内の一方の平行な２面は、三角形状の頂点を通る折り曲げ線により折り曲げ可能とされ、その結果、４面の内の他方の平行な２面が接触するように扁平に折り畳まれるという構成を有する。この構成により、容器を折り畳み可能なものとすることができ、使用前の段階では、場所を取らずに保管や運搬が可能になり、使用後は、平らに潰す手間を省くことができる。
【００１２】
本発明の容器は、前述のように胴部の周囲４面の内の平行な２面の下端に、容器の底を構成する底片を夫々設け、各底片を内側に折り曲げるとともに、さらに両底片を中央部にてほぼ屋根型に折り曲げて結合し、胴部の内部に屋根型の上部を受け入れる凹部を形成するものとする。このような、上部と下部を相互に係合可能にするという手段により、１個の容器の屋根型の上部に他の容器を積み重ねても安定性が損なわれないようになる。
【００１３】
上記の底片は、胴部の下端に設けられているほかには、胴部と特別の関係を持っていなくても良い。しかし、底片を、４面の内の他方の平行な２面の下端に設けるものとし、４面の内の一方の平行な２面の下端に設けられている、連続片との境界線において折り曲げ可能に連続した構成を有するものとすることができる。このことにより、前述のように扁平に折り畳んだ状態から立体化するときに、その動作に連動して自動的に、底片を山形にセットすることができるようになる。
【００１４】
また、底片は、４面の内の他方の平行な２面の下端に設けるものとし、４面の内の一方の平行な２面の下端には、周囲４面から成る胴部の内側に嵌め込んで、胴部の立体形状を規定する、内枠を設けることができる。この構成により、本発明に係る容器の立体化が、内枠の嵌め込みによって自動的に行なわれるようになる。
【００１５】
本発明に係る容器は、その上端に位置する屋根型の上部に、開閉可能な構成を具備することができる。この場合、前記の胴部を構成する４面の内の他方の平行な２面の上端に設けられ、かつ、三角部と連続部分で連続し、連続部分との境界線を折り曲げ線とした屋根型の上部を構成する部分が開閉部分になり、上記三角部との連続部分が開閉部分を開く方向に作用するばね部分になる。開閉部分には、一方に係止部、他方に係止部の相手部を設け、係止部を係止相手部に係止させることにより、閉じ状態に保持することができる。
【発明の効果】
【００１６】
本発明は上記のように構成されかつ作用するものであるから、上部と下部を相互に係合可能にするという手段により、屋根型の上部を有する容器を、特別の部材を必要とすることなく、安定に積み重ねられるようにすることができるという効果を奏する。また、本発明によれば、それ単独で安定に積み重ねることができる積み重ね構造を有する容器を提供することができる。
【発明を実施するための最良の形態】
【００１７】
以下、図示の実施形態を参照して本発明をより詳細に説明する。図１は本発明に係る積み重ね構造を有する容器１０の例１に関するもので、紙材より成るプランクの平面図を示している。
【００１８】
例１のもののプランクは、左右に連続して並列した周囲４面１１、１２、１３、１４から成り、かつ、各面の境界線を折り曲げ線とする四角柱部分と、４面の内の一方の平行な２面１２、１４の上端に位置し、その上端から三角形状に突出する部分１６、１７を有し、かつ、その三角形の斜辺１８、１９を折り曲げ線として連続する連続部分２０、２１を有する三角部２４、２５と、４面の内の他方の平行な２面１１、１３の上端に設けられ、かつ、上記三角部と連続部分２０、２１で連続し、連続部分２０、２１との境界線２２、２３を折り曲げ線とした屋根型の上部を構成する部分２６、２７とを有している。４面１１〜１４は、胴部１５を構成し、かつ、その内、平行な２面１１、１３と１２、１４は等寸である。２８、２９は胴部１５との境界線であり、屋根型の上部を構成する部分を開閉部分２６、２７とする場合の折り曲げ線でもある。
【００１９】
例１の容器１０は、胴部１５の上端に位置する屋根型の上部に、開閉可能な構成を具備している。この場合、胴部１５を構成する４面の内の他方の平行な２面１１、１２の上端に設けられ、かつ、三角部２４、２５と連続部分２０、２１で連続し、連続部分との境界線を折り曲げ線とした屋根型の上部を構成する部分が開閉部分２６、２７になり、上記三角部２４、２５との連続部分２０、２１が開閉部分２６、２７を開く方向に作用するばね部分になる。開閉部分２６、２７には、一方にスリット状の係止部３０、他方に突片状の係止相手部３１を設けて、係止部３０に係止相手部３１を係止させ、閉じ状態に保持する構成を有する。
【００２０】
胴部１５において、その上端から三角形状に突出する部分１６、１７を有している、４面の内の一方の平行な２面１２、１４は、三角形状の頂点を通る折り曲げ線３２、３３により折り曲げ可能とされている。例示した三角形は２等辺三角形、折り曲げ線３２、３３は等寸に形成されている各面１２、１４の２等分線である。かくして、折り畳みにより４面の内の他方の平行な２面１１、１３が接触するように扁平になる。
【００２１】
例１の容器１０では、胴部１５の周囲４面の内の平行な２面１１、１３の下端に、容器１０の底を構成する底片３４、３５を夫々設けている。各底片３４、３５は、等寸に形成されている各面１２、１４の２等分値よりもやや長い寸法ｄを有していることにより、内側に折り曲げるとともに、両底片を中央部にて折り曲げて結合すると、ほぼ屋根型の凹部Ｒになり、胴部の底部に屋根型の上部を受け入れることが可能になる。また、４面の内の他方の平行な２面１１、１３の下端に設けた底片３４、３５に対して、４面の内の一方の平行な２面１２、１４の下端に設けられている連続片３６、３７と、境界線において折り曲げ可能に連続する構成を有している。胴部１５と両底片３４、３５の境界線３８、３９は折り曲げ線でもあり、一方の底片３５の屋根型の棟に当たる境界線４０には接続片４１が連接されている。４２、４３は糊代を夫々示す。
【００２２】
このように構成されている例１のプランクは、図１に、１点差線で図示されている折り曲げ線によって折り曲げ、かつ、要所の糊代を接着することにより、四角柱状の胴部１５を有し、その上部に屋根型を有し、かつまた、胴部１５の下部にほぼ屋根型の凹部Ｒを有する、本発明に係る例１の容器１０を組み立てることができる（図２及び図３）。例１の容器１０は、係止部３０に係止相手部３１を係止させることにより、図２に示したように容器１０の上部に形成される開口を閉じることができ、また、係止相手部３１を係止部３０から外すことにより、屋根型の上部を開いて内容物を取り出すことができる。
【００２３】
そして、その底部は、図２、図３に示すようにほぼ屋根型の凹部Ｒになっているので、容器１０の上部と下部を相互に係合させて、積み重ねることができる（図４）。これにより、本発明の容器１０は、積み重ねた状態において、横から外力が加わっても係合が外れず、安定な状態を維持することができる。積み重ねにより、店頭などでの陳列に必要な場所が少なくて済み、展示効果も向上する。また、用済み後の本発明の容器１０は、係止部３０と係止相手部３１の係止を外すことにより、図５に示したように、三角形状の頂点を通る折り曲げ線３２、３３において、扁平に折り曲げることできる。
【００２４】
次に、図６以下を参照して、本発明に係る積み重ね構造を有する容器の例２を示す。例２の場合、胴部１５の平面形状を維持するための手段を内部の底部として有している点において、例１のものと相違するのみであるので、共通するものは例１の符号を援用して説明する。すなわち、例２でも底片３４、３５は、４面の内の他方の平行な２面１１、１３の下端に例１のものと同様に設けられており、また、境界線４０をおいて接続片４１を有している点までは例１と共通している。
【００２５】
しかし、４面の内の一方の平行な２面１２、１４の下端に、周囲４面から成る胴部１５の内側に嵌め込んで、胴部１５の立体形状を規定する内部底片４５が設けられている。例２の内部底片４５は、胴部１５の内側の形状、すなわち、胴部１５の横断面形状とほぼ一致する平面形状を有し、容器１０′の底部に設けられるほぼ屋根型の凹部Ｒによる、容器内側への突出高さｈにほぼ等しい寸法の底上げ片４４、４６を有している。なお、４７は折り曲げスリットであり、折り曲げ線３２の延長線４８の基部に紙の裂けや割れ防止のために設けられている。他の構成は例１と同様で良いので、符号を援用し、詳細な説明は省略する。
【００２６】
例２のものにおいても、例１の場合と全く同様の四角柱状に組み立てられるが、組み立ての際に、内部底片４５により、胴部１５を初期の形態に保持することができるので、取り扱いが容易であり、また、胴部を一定の状態に保持しておくことができる。係止相手部３１を係止部３０に係止して、容器１０′の上部に形成される開口を閉じることができ、また、係止相手部３１を係止部３０から外すことにより、屋根型の上部を開いて内容物を取り出すことができること、容器１０′の係合による積み重ねが可能であり、かつ、積み重ねにより、店頭などでの陳列に必要な場所が少なくて済み、展示効果も向上すること、用済み後、係止部３０と係止相手部３１の係止を外して、図５に示したように、三角形状の頂点を通る折り曲げ線３２、３３において、扁平に折り曲げることできることなどは、例１の場合と同様である。
【産業上の利用可能性】
【００２７】
本発明に係る積み重ね可能な容器は、以上の説明のようなものであるので、例えば芳香剤を収めて使用する容器として使用可能であり、その他、防臭剤、カードケース、小物入れなどの容器としても使用可能である。また、お菓子の容器などに使用して、その積み重ね方により展示の意外性や面白さを演出することなどに利用もすることができる。さらに、本発明の容器の要所を接着し、かつ、樹脂フィルムを内装するような密封構造とすることにより、液体用密封容器としても利用できる可能性がある。
【図面の簡単な説明】
【００２８】
【図１】本発明に係る積み重ね構造を有する容器の例１を示すもので、その容器のプランクを展開した平面図。
【図２】図１の容器を組み立てた状態の斜視図。
【図３】図１の容器の要部を示すもので、容器下部の断面図。
【図４】本発明の容器の積み重ね状態を説明する断面図。
【図５】本発明の容器を扁平にした状態を示す斜視図。
【図６】本発明に係る積み重ね構造を有する容器の例２を示す容器のプランクを展開した平面図。
【図７】図６の容器を組み立てた状態の斜視図。
【図８】図６の容器の要部を示すもので、容器下部の断面図。
【符号の説明】
【００２９】
１０、１０′  容器
１１、１２、１３、１４  胴部周囲の４面
１５  胴部
１６、１７  三角形状に突出する部分
１８、１９  三角形の斜辺
２０、２１  連続部分
２２、２３  境界線
２４、２５  三角部
２６、２７  開閉部分すなわち屋根型の上部を構成する部分
２８、２９  境界線
３０  係止部
３１  係止相手部
３２、３３  折り曲げ線
３４、３５  底片
３６、３７  連続片
３８、３９  境界線
４０  境界線
４１  接続片
４２、４３  糊代
４４、４６  底上げ片
４５  内部底片
４７  スリット
４８  延長線
【図１】
2007276865.tif 000003
【図２】
2007276865.tif 000004
【図３】
2007276865.tif 000005
【図４】
2007276865.tif 000006
【図５】
2007276865.tif 000007
【図６】
2007276865.tif 000008
【図７】
2007276865.tif 000009
【図８】
2007276865.tif 000010